【手続補正書】
【提出日】平成16年7月13日(2004.7.13)
【手続補正１】
【補正対象書類名】明細書
【補正対象項目名】発明の名称
【補正方法】変更
【補正の内容】
【発明の名称】Ｄ／Ａ変換回路及び電子機器
【手続補正２】
【補正対象書類名】明細書
【補正対象項目名】特許請求の範囲
【補正方法】変更
【補正の内容】
【特許請求の範囲】
【請求項１】
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量を有しており、
前記ｎビットのデジタル信号のうち、下位ｍビットのデジタル信号によって、前記ｎ−ｍ＋１個の容量のうちの１個の容量への電荷の充電が制御され、
前記ｎビットのデジタル信号のうち、上位ｎ−ｍビットのデジタル信号によって、前記ｎ−ｍ＋１個の容量のうちの残りのｎ−ｍ個の容量への電荷の充電が制御されていることを特徴とするＤ／Ａ変換回路。
【請求項２】
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量を有しており、
前記ｎビットのデジタル信号のうち、下位ｍビットのデジタル信号によって、前記ｎ−ｍ＋１個の容量のうちの、容量値がＣ（Ｃは定数）である１個の容量への電荷の充電が制御され、
前記ｎビットのデジタル信号のうち、上位ｎ−ｍビットのデジタル信号によって、前記ｎ−ｍ＋１個の容量のうちの残りのｎ−ｍ個の容量への電荷の充電が制御されており、
前記残りのｎ−ｍ個の容量は、その容量値がそれぞれＣ、２Ｃ、２2Ｃ、…、２n-m-1Ｃで表されることを特徴とするＤ／Ａ変換回路。
【請求項３】
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量と、２m個の抵抗とを有しており、
前記ｎビットのデジタル信号のうち、下位ｍビットのデジタル信号と前記２m個の抵抗とによって定められた電荷が、前記ｎ−ｍ＋１個の容量のうちの１個の容量へ充電され、
前記ｎビットのデジタル信号のうち、上位ｎ−ｍビットのデジタル信号によって定められた電荷が、前記ｎ−ｍ＋１個の容量のうちの残りのｎ−ｍ個の容量へ充電されていることを特徴とするＤ／Ａ変換回路。
【請求項４】
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量と、２m個の抵抗とを有しており、
前記ｎビットのデジタル信号のうち、下位ｍビットのデジタル信号と前記２m個の抵抗とによって定められた電荷が、前記ｎ−ｍ＋１個の容量のうちの１個の容量へ充電され、
前記２m個の抵抗の抵抗値は全て同じであり、
前記ｎビットのデジタル信号のうち、上位ｎ−ｍビットのデジタル信号によって定められた電荷が、前記ｎ−ｍ＋１個の容量のうちの残りのｎ−ｍ個の容量へ充電されていることを特徴とするＤ／Ａ変換回路。
【請求項５】
請求項３または請求項４において、前記２m個の抵抗は直列に接続されていることを特徴とするＤ／Ａ変換回路。
【請求項６】
請求項５において、前記２m個の抵抗のうち、一方の端子が他の抵抗に接続されていない２つの抵抗は、該端子がそれぞれ低電圧側の電源と、高電圧側の電源に接続されていることを特徴とするＤ／Ａ変換回路。
【請求項７】
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量と、２m本の階調電圧線とを有しており、
前記ｎビットのデジタル信号のうち、下位ｍビットのデジタル信号によって、前記２m本の階調電圧線のうちの１本が選択され、前記選択された階調電圧線の電位によって前記ｎ−ｍ＋１個の容量のうちの容量値がＣ（Ｃは定数）である１個の容量へ電荷が充電され、
前記ｎビットのデジタル信号のうち、上位ｎ−ｍビットのデジタル信号によって、前記ｎ−ｍ＋１個の容量のうちの残りのｎ−ｍ個の容量への電荷の充電が制御されており、
前記残りのｎ−ｍ個の容量は、その容量値がそれぞれＣ、２Ｃ、２2Ｃ、…、２n-m-1Ｃで表されることを特徴とするＤ／Ａ変換回路。
【請求項８】
請求項１乃至請求項７のいずれか１項において、リセット期間において前記ｎ−ｍ＋１個の容量へ充電される電荷の量は、常に特定の値に保たれることを特徴とするＤ／Ａ変換回路。
【請求項９】
請求項１乃至請求項８のいずれか１項において、前記Ｄ／Ａ変換回路が表示部又は制御回路に用いられた表示装置。
【請求項１０】
請求項１乃至請求項８のいずれか１項において、前記Ｄ／Ａ変換回路が表示部又は制御回路に用いられたデジタルスチルカメラ。
【請求項１１】
請求項１乃至請求項８のいずれか１項において、前記Ｄ／Ａ変換回路が表示部又は制御回路に用いられたノート型パーソナルコンピュータ。
【請求項１２】
請求項１乃至請求項８のいずれか１項において、前記Ｄ／Ａ変換回路が表示部又は制御回路に用いられたモバイルコンピュータ。
【請求項１３】
請求項１乃至請求項８のいずれか１項において、前記Ｄ／Ａ変換回路が表示部又は制御回路に用いられた、記録媒体を備えた携帯型の画像再生装置。
【請求項１４】
請求項１乃至請求項８のいずれか１項において、前記Ｄ／Ａ変換回路が表示部又は制御回路に用いられたゴーグル型ディスプレイ。
【請求項１５】
請求項１乃至請求項８のいずれか１項において、前記Ｄ／Ａ変換回路が表示部又は制御回路に用いられたビデオカメラ。
【請求項１６】
請求項１乃至請求項８のいずれか１項において、前記Ｄ／Ａ変換回路が表示部又は制御回路に用いられた携帯電話機。
【手続補正３】
【補正対象書類名】明細書
【補正対象項目名】００２５
【補正方法】変更
【補正の内容】
【００２５】
本発明によって、
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量を有しており、
前記ｎビットのデジタル信号のうち、下位ｍビットのデジタル信号によって、前記ｎ−ｍ＋１個の容量のうちの、容量値がＣ（Ｃは定数）である１個の容量への電荷の充電が制御され、
前記ｎビットのデジタル信号のうち、上位ｎ−ｍビットのデジタル信号によって、前記ｎ−ｍ＋１個の容量のうちの残りのｎ−ｍ個の容量への電荷の充電が制御されており、
前記残りのｎ−ｍ個の容量は、その容量値がそれぞれＣ、２Ｃ、２2Ｃ、…、２n-m-1Ｃで表されることを特徴とするＤ／Ａ変換回路が提供される。
【手続補正４】
【補正対象書類名】明細書
【補正対象項目名】００２８
【補正方法】変更
【補正の内容】
【００２８】
本発明によって、
ｎビットのデジタル信号（ｎは自然数）をアナログ信号に変換するＤ／Ａ変換回路であって、
前記Ｄ／Ａ変換回路はｎ−ｍ＋１個（ｍはｎより小さい自然数）の容量と、２m本の階調電圧線とを有しており、
前記ｎビットのデジタル信号のうち、下位ｍビットのデジタル信号によって、前記２m本の階調電圧線のうちの１本が選択され、前記選択された階調電圧線の電位によって前記ｎ−ｍ＋１個の容量のうちの容量値がＣ（Ｃは定数）である１個の容量へ電荷が充電され、
前記ｎビットのデジタル信号のうち、上位ｎ−ｍビットのデジタル信号によって、前記ｎ−ｍ＋１個の容量のうちの残りのｎ−ｍ個の容量への電荷の充電が制御されており、
前記残りのｎ−ｍ個の容量は、その容量値がそれぞれＣ、２Ｃ、２2Ｃ、…、２n-m-1Ｃで表されることを特徴とするＤ／Ａ変換回路が提供される。
【手続補正５】
【補正対象書類名】明細書
【補正対象項目名】００９５
【補正方法】変更
【補正の内容】
【００９５】
また、下位ｍビットに対応する１個の下位ビット対応容量（ＣL）と、上位ｎ−ｍビットに対応するｎ−ｍ個の上位ビット対応容量（ＣU［１］、ＣU［２］、ＣU［３］、…、ＣU［ｎ−ｍ−１］、ＣU［ｎ−ｍ］）とを有している。